(57)【要約】  【課題】  携帯電話を用いたコンテンツ配信に利用可能な技術であって、顧客となるユーザーに対して当該顧客固有のコンテンツ配信用ホームページを提供すること。  【解決手段】  インターネット上で閲覧可能なホームページを作成するとともに、特定の第三者に対して当該ホームページを閲覧する際に必要となるアクセス情報を発行するシステムであって、オーダーシステムとコンテンツ管理システムとＩＤ配信システムによって構成されるものであり、前記オーダーシステムは、個人情報を前記各ＩＤ配信システムおよびコンテンツ管理システムに伝達し、前記コンテンツ管理システムは、前記個人情報に基づいて第三者に対して閲覧を可能とするホームページを作成するとともに当該ホームページにアクセスするためのアクセス情報を設定し、前記ＩＤ配信システムは、前記アクセス情報を暗号化した画像データを生成するとともに要求に応じて当該画像データを送信する。【選択図】図１
2006309594.tif 000002
【特許請求の範囲】
【請求項１】
インターネット上で閲覧可能なホームページを作成するとともに、特定の第三者に対して当該ホームページを閲覧する際に必要となるアクセス情報を発行するシステムであって、
ＣＰＵ、ＲＡＭ／ＲＯＭ、キーボードやディスプレイ等の入出力装置、ネットワークインターフェイス、ハードディスク等の記憶手段等を備えたコンピュータ手段によって構成されるオーダーシステムとコンテンツ管理システムとＩＤ配信システムによって構成され、
前記オーダーシステムは、氏名、住所等の個人情報の入力に対応して、当該個人情報若しくは当該個人を特定する識別情報を前記各ＩＤ配信システムおよびコンテンツ管理システムに伝達する機能を有し、
前記コンテンツ管理システムは、前記オーダーシステムから送信された個人情報若しくは当該個人を特定する識別情報に基づいて、第三者に対して閲覧を可能とするホームページの作成を許容するとともに当該ホームページにアクセスするためのアクセス情報を設定する機能を有し、
前記ＩＤ配信システムは、前記アクセス情報を暗号化した画像データを生成するとともに、要求に応じて当該画像データを送信する機能を有していることを特徴とするアクセス情報発行システム。
【発明の詳細な説明】
【技術分野】
【０００１】
本願発明は、インターネット上に設けられた特定のコンテンツ管理システム（データベース）に対してコンテンツの登録を可能にするとともに、当該コンテンツ管理システムに対する第三者からのアクセスを可能とするためのアクセス情報を発行するアクセス情報発行システムに関するものである。
【背景技術】
【０００２】
従来、利用チケットの印刷システムとして、オープンな場所に設置された印刷装置を使って安全に印刷業務が遂行できる環境を提供する印刷システムが知られている（特許文献１）。当該システムは、機器認証、個人認証、利用権のチケットによる認証の組み合わせで印刷許可を実現する印刷システムであり、オープンな場所に設置された印刷装置を使用して印刷が行えるものである。
【特許文献１】特開２００５−９２７３５号公報
【発明の開示】
【発明が解決しようとする課題】
【０００３】
上記従来の技術は、汎用的なプリンタを用いて印刷を行うものであるが、印刷される情報には特別の機能はないものである。また、当該印刷物を利用した特定のサーバにアクセスする技術等についての開示はない。
本願発明は、インターネット上における携帯電話を用いたコンテンツ配信に利用可能な技術であって、顧客となるユーザーに対して当該顧客固有のコンテンツ配信用ホームページを提供するものである。また、当該顧客が許可した特定の者に対してのみ当該ホームページへのアクセスを許容するように、アクセスの際に必要となる印刷物を提供し、当該印刷物を用いたアクセスのみを許容してホームページの閲覧等を許可するアクセス情報発行システムを提供するものである。
【課題を解決するための手段】
【０００４】
本願発明は上記課題を解決するために下記の構成を有するものである。すなわち、
インターネット上で閲覧可能なホームページを作成するとともに、特定の第三者に対して当該ホームページを閲覧する際に必要となるアクセス情報を発行するシステムであって、
ＣＰＵ、ＲＡＭ／ＲＯＭ、キーボードやディスプレイ等の入出力装置、ネットワークインターフェイス、ハードディスク等の記憶手段等を備えたコンピュータ手段によって構成されるオーダーシステムとコンテンツ管理システムとＩＤ配信システムによって構成され、
前記オーダーシステムは、氏名、住所等の個人情報の入力に対応して、当該個人情報若しくは当該個人を特定する識別情報を前記各ＩＤ配信システムおよびコンテンツ管理システムに伝達する機能を有し、
前記コンテンツ管理システムは、前記オーダーシステムから送信された個人情報若しくは当該個人を特定する識別情報に基づいて、第三者に対して閲覧を可能とするホームページの作成を許容するとともに当該ホームページにアクセスするためのアクセス情報を設定する機能を有し、
前記ＩＤ配信システムは、前記アクセス情報を暗号化した画像データを生成するとともに、要求に応じて当該画像データを送信する機能を有していることを特徴とするアクセス情報発行システム。
【発明の効果】
【０００５】
本願発明は、以下に述べる効果を有する。すなわち、本願発明に係る「アクセス情報発行システム」は、自己が配信したい動画等を特定の第三者にのみ配信することを目的とした用途に使用することができるものである。また、同時に「アクセス情報発行システム」は、ユーザーがオーダーシステムに自己の個人情報を登録することにより、コンテンツ管理システム４が動画配信可能なホームページを作成可能な状態となり、ＩＤ配信システムが、コンテンツ管理システムに対するアクセス情報をユーザーに対して配信し、販売店（印刷機）に対して前記ホームページ接続用のアクセス情報を発行可能にするという一連の処理を自動的に行うことができるものである。アクセス情報は、印刷機によってカードに印刷されるので、ユーザーは当該カードを第三者に渡すことで、当該第三者等のカードを渡した者にのみ動画等の閲覧を行わせることが出来るという効果を有している。
【発明を実施するための最良の形態】
【０００６】
以下、本願発明の一実施の形態を説明する。図１は、アクセス情報発行システム１等の概略図を表したものである。
アクセス情報発行システム１は、オーダーシステム２と、ＩＤ配信システム３とコンテンツ管理システム４とから構成されている。これら各システムは、サーバ装置若しくは同等の機能を有するＣＰＵ、ＲＡＭ／ＲＯＭ、キーボードやディスプレイ等の入出力装置、ネットワークインターフェイス、ハードディスク等の記憶手段等を備えたコンピュータ手段によって構成されるものである。なお、各オーダーシステム２と、ＩＤ配信システム３とコンテンツ管理システム４は、１つの装置として構成しても構わないし、別個の装置として構成しても構わない。
【０００７】
オーダーシステム２は、販売店５に備えられたコンピュータ手段７を介して、主としてエンドユーザーとなる一般需用者（以下「ユーザー」という）の個人情報を取得し、前記各ＩＤ配信システム３およびコンテンツ管理システム４に対して必要な情報を配信する機能を有するコンピュータ手段である。
販売店５では、ユーザーから取得した「氏名」「住所（〒）」「住所」「電話」「携帯電話」「ＰＣメールアドレス」「ＨＰメールアドレス」「年齢」「職業」「性別」「生年月日」「メール配信可否」「利用歴（新規・追加）」「ＣＮ会員Ｎｏ．」に「サービス開始予定日」を加えてこれらのデータをオーダーシステム２に発信する。
オーダーシステム２は、ＩＤ配信システム３のデータベース（ＤＢ）にアクセスして、受信したデータについての重複チェック、複数ＩＤチェック、ＣＮ会員Ｎｏ．チェック、入力ミスチェック、未入力チェック等を行い、次いで「オーダー番号」「ＣＮ  ＰＡＰ  Ｎｏ．」「透かしＩＤ番号」を発行した後、これらのデータとともに前記ユーザの情報をＩＤ配信システム３に送信する。また、ＩＤ配信システム３は、これらの各データをデータベースＤＢに登録する。
【０００８】
また、オーダーシステム２は、前記ＩＤ配信システム３へのデータ送信の後、ユーザーの携帯電話に対して、電子メールにより「販売店Ｎｏ．」「オーダーＮｏ．」「登録完了日時」「サービス開始予定日」「ユーザーＩＤ」「ユーザーＰＷ」「アクセスＵＲＬ」「申し込み内容」「更新についてのお知らせ」等を送信する。また、オーダーシステム２は、販売店に対しても「販売店Ｎｏ．」「オーダーＮｏ．」「受付日時」「登録完了日時」「サービス開始予定日」「透かしＮｏ．」を送信する。また、コンテンツ管理システム４に対しても、「ユーザーＩＤ」「ユーザーＰＷ」「アクセスＵＲＬ」等の情報が送信され、コンテンツ管理システム４ではユーザー固有のホームページ開設を許容する等の処理が行われる。
【０００９】
ＩＤ配信システム３は、オーダーシステム２から送信された前記各データを、当該システム内のデータベース（ＤＢ）に記憶する。また、ＩＤ配信システム３は販売店５からのアクセスに基づいて、後述するアクセス情報を図形化した「すかし画像」を生成し、販売
店５に送信するプログラムを有している。販売店５には、印刷機６が設置されており当該印刷機６を用いて、アクセス情報を「すかし画像」単体若しくは「すかし画像」を内包する画像を印刷することができるようになっている。当該、アクセス情報を内包した画像はＩＤ配信システム３から送信される画像データに基づいて印刷されるものであり、当該画像データは販売店５のコンピュータ手段７を介したＩＤ配信システム３に対する要求によって取得されるようになっている。
【００１０】
図２に、販売店５のコンピュータ手段７がＩＤ配信システム３にアクセスし、ＩＤ配信システム３から「すかし画像」の印刷データを受領し、当該印刷データに基づいて所定の「すかし画像」を印刷するまでの流れを示す。
はじめに、販売店５は、販売店５固有のＩＤ、パスワード等を用いてＩＤ配信システム３にログオンする（Ｓ１）。正常なアクセスであればＩＤ配信システム３は販売店を認証し（Ｓ２）、接続が確立される。
次いで、販売店５は特定のユーザー用の「すかし画像」を印刷するために、ＩＤ配信システム３に対して「販売店Ｎｏ．」「オーダーＮｏ．」「クラブＮ会員Ｎｏ．」「透かしＮｏ．」を送信する（Ｓ３）。ＩＤ配信システム３は、当該各データに基づいてデータベースより必要情報を検索する（Ｓ４）。
次いで、販売店５は、「透かし画像」を印刷するために「印刷サイズ」「透かし形状」「透かし濃度」等の透かしデータ作成条件を入力し（Ｓ５）する。ＩＤ配信システム３は当該データ作成条件に基づいて「すかし画像」を作成する（Ｓ６）。「すかし画像」のデータが作成されると（Ｓ７）、当該「すかし画像」の印刷データが販売店５のコンピュータ手段７にダウンロードされる（Ｓ８）。
販売店５では、ダウンロードした「すかし画像」の確認画像が表示され（Ｓ９）、当該確認後に印刷が実行され（Ｓ１０）、「すかし画像」を印刷した印刷物としてカード８が取得される（Ｓ１０）。
当該行程によって取得された印刷物には、携帯電話用のアプリケーションプログラムによって画像を撮影することによって取得されるアクセス情報が「すかし画像」として印刷されている。本実施の形態では、当該印刷物として、名刺状のカード８が作成されるようになっている。
【００１１】
コンテンツ管理システム４は、ＩＤ配信システム３に対するユーザー情報の登録と連動して、ユーザーに対してインターネット上で閲覧可能となるホームページの開設を許容するようになっている。ユーザーは、ＩＤ配信システム３から配信された電子メールに含まれるユーザーＩＤとユーザーパスワードを用いてコンテンツ管理システム４にログインし、コンテンツ管理システム４が有するプログラムに基づいて、自己専用のホームページを開設し、自己の携帯電話の撮影機能によって撮影した写真や動画を第三者に配信することができるようになっている。以下、ユーザーがコンテンツ管理システム４を用いて画像や動画の配信を可能とするまでの流れを図３を用いて説明する。
【００１２】
はじめに、ユーザーＡは自己の携帯電話９を使用して、コンテンツ管理システム４に接続を行う。接続先を示すＵＲＬ、および接続認証のためのユーザーＩＤとユーザーパスワードは、すでにＩＤ配信システム３から配信された電子メール中に記載されている。ユーザーＡの携帯電話９は、これらの情報をもとに認証処理（Ｓ２０）を受けた後、コンテンツ管理システム４に接続しログオン（接続）するようになっている（Ｓ２１）。
次に、ユーザーＡはコンテンツ管理システム４に用意されたプログラムに誘導されながら、「タイトル」「タイトル画像」「個人情報入力」「トピック登録」等を入力し（Ｓ２２）、内容を確認しつつ（Ｓ２３）、各種情報を登録することでホームページが自動的に作成される（Ｓ２４）。なお、登録（作成）したホームページは、適宜「文字色」「背景色」「文字サイズ」等が修正可能となっている（Ｓ２５、Ｓ２６、Ｓ２７）。
また、ログオンした後、動画（あるいは静止画）を前記ホームページに登録することが
できる（Ｓ２９）。当該登録は、自己専用に設定された電子メールアドレスに携帯電話９で撮影した動画や静止画を添付ファイルとして送信（Ｓ３０）することにより、自動的に登録（Ｓ３１）されるようになっている。
前記登録した動画や静止画は、自己以外の第三者Ｂが所有する携帯電話１０からのアクセスにより見ることができるようになっている（Ｓ３２）。なお、当該第三者Ｂからの閲覧には、前述したようにカード８に印刷された「すかし画像」が必要となっている。
【００１３】
前記カード８に印刷された「すかし画像」は、肉眼では認識しにくい薄黄色のマークをモザイク状にちりばめたような画像である。当該「すかし画像」を携帯電話１０に画像として取り込み、予めダウンロードしておいたアプリケーションプログラムを用いて解読することで、当該第三者Ｂの携帯電話１０に前記ホームページの動画配信部に接続するための情報が自動的に取得される。そして、当該情報を用いることで携帯電話１０がコンテンツ管理システム４と接続可能となり、動画や画像が自動的にダウンロードすることができるようになっている。「すかし画像」には、接続先を指定するＵＲＬ（ホームページアドレス）と、定められた動画配信サイトに接続するための認証情報等が含まれている。
【００１４】
以上説明した「アクセス情報発行システム」は、自己が配信したい動画等を特定の第三者にのみ配信することを目的とした用途に使用することができるものである。当該用途のため、「アクセス情報発行システム」は、ユーザーがオーダーシステム２に自己の個人情報を登録することにより、コンテンツ管理システム４が動画配信可能なホームページを作成可能な状態となり、ＩＤ配信システム３が、コンテンツ管理システム４に対するアクセス情報をユーザーに対して配信し、販売店５（印刷機６）に対して前記ホームページ接続用のアクセス情報を発行可能にするという一連の処理を自動的に行うものである。アクセス情報は、印刷機６によってカード８に印刷されるので、ユーザーは当該カード８を第三者Ｂに渡すことで、当該第三者Ｂ等のカードを渡した者にのみ動画等の閲覧を行わせることが出来るようになっている。
【図面の簡単な説明】
【００１５】
【図１】本願発明に係るアクセス情報発行システムの概略図である。
【図２】本願発明に係るアクセス情報発行システムの動作ブロック図である。
【図３】本願発明に係るアクセス情報発行システムの動作ブロック図である。
【符号の説明】
【００１６】
１  アクセス情報発行システム
２  オーダーシステム
３  ＩＤ配信システム
４  コンテンツ管理システム
５  販売店
７  コンピュータ手段
６  印刷機
８  カード
９  携帯電話
１０  携帯電話
【図１】
2006309594.tif 000003
【図２】
2006309594.tif 000004
【図３】
2006309594.tif 000005